(57)【要約】【課題】簡便な構造でガーゼを保持しかつ計数し易いガーゼホルダを得る。【解決手段】シート１には、複数列の上下の切込み２ａ、２ｂを利用して、複数のガーゼ３が取り付けられている。これらのガーゼ３は、対角線を中心にして細く折り畳み、更に２つ折りにすることにより、この折り目３ａを持ってシート１の表側から下側の切込み２ｂを潜らせて裏側に導き、更に上側の切込み２ａを潜って表側に引き出されている。【選択図】図２
2007130289.tif 000002
【特許請求の範囲】
【請求項１】
１枚のシートに上下一対の水平方向の切込みを設け、複数の前記上下一対の切込みを水平方向に並列に配置し、前記各上下の切込み間にガーゼを挿通したことを特徴とするガーゼホルダ。
【請求項２】
前記上下一対の切込みは、隣接する切込みと段違いに配置したことを特徴とする請求項１に記載のガーゼホルダ。
【請求項３】
前記シートは不織布としたことを特徴とする請求項１に記載のガーゼホルダ。
【請求項４】
前記シート上にガーゼ番号を付したことを特徴とする請求項１に記載のガーゼホルダ。
【請求項５】
前記ガーゼを取り付けた前記シートを折り畳み、滅菌して透明樹脂フィルムにより密封したことを特徴とするガーゼホルダ。
【発明の詳細な説明】
【技術分野】
【０００１】
本発明は、手術中に使用するガーゼを保持しながら、ガーゼの枚数を管理するガーゼホルダに関するものである。
【背景技術】
【０００２】
病院での手術においては、手術中に患部から流出する血液や体液を吸収するために多数枚のガーゼを使用する。
【０００３】
手術が終了し縫合時には、手術中に使用したガーゼを体内から１枚残らず回収しなければならないが、時には血液に染まり臓器と見間違えたり、臓器の裏側等に潜り込むことにより、ガーゼが体内に残置されてしまうことがある。
【０００４】
このような事態を回避するために、ガーゼを保持すると共に、その枚数を管理するための手段が、特許文献１、２に開示されている。
【０００５】
【特許文献１】実公平４−４８１７４号公報
【特許文献２】特開２００１−２７８３３１号公報
【発明の開示】
【発明が解決しようとする課題】
【０００６】
しかし、これらの特許文献１、２によるホルダや包装体は、構造が稍々複雑で、製造コストがかかるという問題がある。
【０００７】
本発明の目的は、上述の課題を解決し、簡便な構造でガーゼを保持しかつ計数し易いガーゼホルダを提供することにある。
【課題を解決するための手段】
【０００８】
上述の目的を達成するための本発明に係るガーゼホルダの技術的特徴は、１枚のシートに上下一対の水平方向の切込みを設け、複数の前記上下一対の切込みを水平方向に並列に配置し、前記各上下の切込み間にガーゼを挿通したことにある。
【発明の効果】
【０００９】
本発明に係るガーゼホルダによれば、簡易な構成でガーゼを保持し、枚数を管理することができる。
【発明を実施するための最良の形態】
【００１０】
本発明を図示の実施例に基づいて詳細に説明する。
【実施例１】
【００１１】
図１は実施例１のシートの平面図であり、シート１は例えば不織布から成り、上下一対の水平方向の切込み２ａ、２ｂが設けられ、この一対の切込み２ａ、２ｂが横方向に並列されている。なお、隣接する同士の切込み２ａ、２ｂは、つながらないように上下に喰い違う段違いに形成されている。
【００１２】
また、上下の切込み２ａ、２ｂ間のシート１上には、取り付けるべきガーゼのガーゼ番号が印刷されている。なお本実施例においては、取り付けるガーゼ３は計数し易い１０枚としているが、任意の枚数に設定することができる。
【００１３】
図２はこのシート１にガーゼ３を取り付けた状態の斜視図であり、シート１の上下の切込み２ａ、２ｂを利用して、ガーゼ３が取り付けられている。
【００１４】
このガーゼ３は例えば正方形であり、図３に示すように対角線を中心にして細く折り畳み、更に図４に示すように２つ折りにすることにより、この折り目３ａを持って、ガーゼ３をシート１の表側から下側の切込み２ｂを潜らせて裏側に導き、更に上側の切込み２ａを潜って表側に引き出されている。
【００１５】
シート１の寸法は、例えば縦１２ｃｍ、横３０ｃｍ、切込み２ａ、２ｂの長さは２．５ｃｍ、切込み２ａ、２ｂ間の間隔は５ｃｍであり、ガーゼ３は一辺３０ｃｍとされている。
【００１６】
このようにして、例えば１０枚のガーゼ３を取り付けたシート１は、透明合成樹脂フィルム等のパックに密封し、滅菌処理して病院等に供給される。
【００１７】
使用に際しては、密封パックからシート１を取り出し、図２に示すように例えばピンセットや指Ｆでガーゼ３の折り目３ａをつまんで、シート１から引き抜けばよい。この際に、シート１上には１〜１０のガーゼ番号が印刷されているので、例えば１番から順に使用してゆけば、手術中に何枚のガーゼ３を使用したかが直ちに分かる。従って、回収したガーゼ３の枚数と照合すれば、体内へのガーゼ３の置き忘れに容易に気が付く。
【００１８】
また、本実施例１においては、ガーゼ３をシート１の表側から切込み２ｂを介して裏側に導き、更に切込み２ａを介して表側に導いて説明したが、ガーゼ３をシート１の裏側から切込み２ｂを介して表側に導き、更に切込み２ａを介して裏側に導くようにしてもよい。また、この場合にはシート１上の切込み２ａ、２ｂ間のガーゼ番号はガーゼ３により隠れるため、ガーゼ番号は切込み２ａの上部又は切込み２ｂの下部に印刷すればよい。
【００１９】
なお、シート１は不織布と説明したが、厚紙や合成樹脂シートであってもよい。
【実施例２】
【００２０】
実施例１においては、隣接する上下一対の切込み２ａ、２ｂは横方向に段違いに配置したが、図５に示すように隣接する上下一対の切込み２ａ、２ｂ同士の間隔を開ければ、隣接する切込み２ａ、２ｂがつながることはない。
【実施例３】
【００２１】
また実施例１で、上下一対の切込み２ａ、２ｂの間隔は全て等間隔としたが、図６に示す実施例３のように、切込み２ａ、２ｂの間隔は異なる間隔としてもよい。
【実施例４】
【００２２】
図７は実施例４のシート１の平面図であり、一部のガーゼ３を使用した状態を示している。実施例１〜３においては、２本の切込み２ａ、２ｂを設けることによりシート１にガーゼ３を取り付けた。実施例４においては、シート１上に上下に近接した平行な２本の切込み２ａ’、２ａ”を設け、同様に下方に近接した２本の切込み２ｂ’、２ｂ”を設け、上下一対の切込み１１ａ、１１ｂとしている。
【００２３】
そして、ガーゼ３をシート１の表側から切込み２ｂ”を介して裏側に導いた後に、切込み２ｂ’を潜らせて表側に導く。再度、切込み２ａ”を介して裏側に導いた後に、切込み２ａ’を潜らせて表側に導く。このようにして、４本の切込み２ａ’、２ａ”、２ｂ’、２ｂ”、つまり上下一対の切込み１１ａ、１１ｂを用いてガーゼ３を挿通することにより、シート１とガーゼ３との摩擦力が増加し、シート１から不時にガーゼ３が脱落することを防止することができる。
【００２４】
この実施例４では、シート１の上面にガーゼ３の位置にガーゼ番号を印刷し、シート１にガーゼ３を取り付け、ガーゼ３の未使用時にはシート１上のガーゼ番号はガーゼ３により隠れ、シート１からガーゼ３を引き抜いた際にガーゼ番号が見え、使用した枚数が一目瞭然とするようにしてもよい。
【００２５】
更に、実施例１〜４においては、何れもシート１上に１〜１０のガーゼ番号を印刷したが、例えば１０枚程度ならば目視で計数することも容易であるため、ガーゼ番号は省略することもできる。
【図面の簡単な説明】
【００２６】
【図１】実施例１のシートの平面図である。
【図２】シートにガーゼを挿通した状態の斜視図である。
【図３】ガーゼの折り畳み状態の斜視図である。
【図４】ガーゼの折り畳み状態の斜視図である。
【図５】実施例２のシートの平面図である。
【図６】実施例３のシートの平面図である。
【図７】実施例４のシートにガーゼを挿通した状態の平面図である。
【符号の説明】
【００２７】
１  シート
２ａ、２ａ’、２ａ”、２ｂ、２ｂ’、２ｂ”、１１ａ、１１ｂ  切込み
３  ガーゼ
３ａ  折り目
【図１】
2007130289.tif 000003
【図２】
2007130289.tif 000004
【図３】
2007130289.tif 000005
【図４】
2007130289.tif 000006
【図５】
2007130289.tif 000007
【図６】
2007130289.tif 000008
【図７】
2007130289.tif 000009